(57)【要約】【課題】相変化を利用して冷媒を循環させることによって車載機器を冷却する車載機器冷却装置において、加速時や登坂時における冷却能力を確保する。【解決手段】冷媒回路１２と、蒸発部１３１と供給部１３２と排出部１３３とを有する蒸発器１３と、凝縮器１４と、ガス冷媒配管１５と、液冷媒配管１６とを備え、ガス冷媒配管１５は、冷媒が車両後方から車両前方へ向かって流れる前方流れ部１５ａを有しており、排出部１３３から前方流れ部１５ａに至る冷媒の流れ方向が車両後方側から車両前方側に向かう方向、車両下方側から車両上方側に向かう方向、および車両左右方向のうち少なくとも１つの方向になるように構成されている。【選択図】図２３
2018179489.tif 000002
【特許請求の範囲】
【請求項１】
冷媒が循環する冷媒回路（１２）と、
車載機器（１１）から吸熱して前記冷媒を蒸発させる蒸発部（１３１）と、前記蒸発部へ前記冷媒を導く供給部（１３２）と、前記蒸発部から排出された前記冷媒が流れる排出部（１３３）とを有する蒸発器（１３）と、
前記蒸発器で蒸発した前記冷媒を凝縮させる凝縮器（１４）と、
前記排出部から前記凝縮器に前記冷媒を導くガス冷媒配管（１５）と、
前記凝縮器から前記供給部に前記冷媒を導く液冷媒配管（１６）とを備え、
前記ガス冷媒配管は、前記冷媒が車両後方から車両前方へ向かって流れる前方流れ部（１５ａ）を有しており、前記排出部から前記前方流れ部に至る前記冷媒の流れ方向が車両後方側から車両前方側に向かう方向、車両下方側から車両上方側に向かう方向、および車両左右方向のうち少なくとも１つの方向になるように構成されている車載機器冷却装置。
【請求項２】
前記排出部は、車両前後方向に延びる形状を有している請求項１に記載の車載機器冷却装置。
【請求項３】
前記蒸発部は、前記凝縮器よりも車両後方側に位置している請求項１または２に記載の車載機器冷却装置。
【請求項４】
前記蒸発器を複数個備え、
前記前方流れ部は、前記複数個の蒸発器同士を連結している請求項１ないし３のいずれか１つに記載の車載機器冷却装置。
【請求項５】
前記排出部は、前記供給部よりも車両上方側に位置している請求項１ないし４のいずれか１つに記載の車載機器冷却装置。
【請求項６】
前記供給部のうち前記液冷媒配管が接続される部位は、前記車載機器（１１）よりも車両後方側に位置している請求項１ないし５のいずれか１つに記載の車載機器冷却装置。
【請求項７】
前記車載機器は、充放電可能な複数の電池セル（１１ａ、１１ｂ）を有している請求項１ないし６のいずれか１つに記載の車載機器冷却装置。
【請求項８】
冷媒が循環する冷媒回路（１２）と、
少なくとも１つの車載機器（１１）から吸熱して前記冷媒を蒸発させる少なくとも１つの蒸発器（１３）と、
前記蒸発器で蒸発した前記冷媒を凝縮させる少なくとも１つの凝縮器（１４）と、
前記蒸発器で蒸発した前記冷媒を前記凝縮器に導くガス冷媒配管（１５）と、
前記凝縮器で凝縮した前記冷媒を前記蒸発器に導く液冷媒配管（１６）とを備え、
前記蒸発器のうち前記液冷媒配管と接続されている入口側接続部（１３ａ）は、前記蒸発器のうち前記ガス冷媒配管と接続されている出口側接続部（１３ｂ）よりも車両後方に位置している車載機器冷却装置。
【請求項９】
前記凝縮器は、前記入口側接続部よりも車両前方に位置している請求項８に記載の車載機器冷却装置。
【請求項１０】
前記入口側接続部は、前記車載機器よりも車両後方に位置している請求項８または９に記載の車載機器冷却装置。
【請求項１１】
前記凝縮器は、前記出口側接続部よりも車両前方に位置している請求項８ないし１０のいずれか１つに記載の車載機器冷却装置。
【請求項１２】
前記出口側接続部は、前記車載機器よりも車両前方に位置している請求項８ないし１１のいずれか１つに記載の車載機器冷却装置。
【請求項１３】
前記蒸発器を複数個備え、
前記凝縮器は、全ての前記蒸発器における前記入口側接続部よりも車両前方に位置しており、
全ての前記蒸発器における前記入口側接続部は、前記車載機器よりも車両後方に位置しており、
前記凝縮器は、全ての前記蒸発器における前記出口側接続部よりも車両前方に位置しており、
全ての前記蒸発器における前記出口側接続部は、前記車載機器よりも車両前方に位置している請求項８ないし１２のいずれか１つに記載の車載機器冷却装置。
【請求項１４】
前記凝縮器を複数個備え、
前記複数個の凝縮器はいずれも、前記入口側接続部および前記出口側接続部よりも車両前方に位置している請求項８ないし１３のいずれか１つに記載の車載機器冷却装置。
【請求項１５】
前記冷媒回路、前記蒸発器、前記凝縮器、前記ガス冷媒配管および前記液冷媒配管を複数組備え、
それぞれの前記冷媒回路において、前記凝縮器は、前記入口側接続部および前記出口側接続部よりも車両前方に位置しており、前記入口側接続部は、前記車載機器よりも車両後方に位置しており、前記出口側接続部は、前記車載機器よりも車両前方に位置している請求項８ないし１４のいずれか１つに記載の車載機器冷却装置。
【請求項１６】
前記車載機器は、充放電可能な複数の電池セル（１１ａ、１１ｂ）を有している請求項８ないし１５のいずれか１つに記載の車載機器冷却装置。
【請求項１７】
前記入口側接続部は、前記複数の電池セルのうち最も車両後方に位置する電池セル（１１ａ）よりも車両後方に位置している請求項１６に記載の車載機器冷却装置。
【請求項１８】
前記出口側接続部は、前記複数の電池セルのうち最も車両前方に位置する電池セル（１１ｂ）よりも車両前方に位置している請求項１６または１７に記載の車載機器冷却装置。
【発明の詳細な説明】
【技術分野】
【０００１】
本発明は、車載機器を冷却する車載機器冷却装置に関する。
【背景技術】
【０００２】
従来、特許文献１には、効率よく電池の温度を調節できる電池温度調節装置が記載されている。この従来技術は、ループ型のサーモサイフォン式ヒートパイプであり、温度調節部と気相流路と熱媒体冷却部と液相流路とを備えている。
【０００３】
温度調節部は、熱媒体の液相と気相との相変化により電池の温度を調節する。気相流路には、温度調節部から流出する気相の熱媒体が流れる。熱媒体冷却部は、気相流路から流入する気相の熱媒体を凝縮する。液相流路には、熱媒体冷却部から温度調節部へ向かう液相の熱媒体が流れる。
【０００４】
温度調節部と熱媒体冷却部の配置関係は、温度調節部内の液相の熱媒体の液面よりも熱媒体冷却部内の液相の熱媒体の液面の方が上方に位置するようになっている。
【先行技術文献】
【特許文献】
【０００５】
【特許文献１】特開２０１５−４１４１８号公報
【発明の概要】
【発明が解決しようとする課題】
【０００６】
電気自動車やハイブリッド車などの電動車両では、二次電池などの蓄電装置に蓄えた電気エネルギーをインバータなどを介してモータに供給し走行する。蓄電装置は、走行中など車両使用時に自己発熱し、高温になると十分な機能を得られないだけでなく劣化や破損を招く。そのため、蓄電装置を冷却して一定温度以下に維持する必要がある。
【０００７】
一般的に蓄電装置は複数の電池セルで構成されているが、各電池セルの温度にばらつきがあるとセルの劣化に偏りが生じ、蓄電装置の性能が低下してしまう。これは、最も劣化した電池セルの特性に合わせて蓄電装置の入出力特性が決まることによる。そのため、蓄電装置を長期間、所望の性能を発揮させるためには、電池セル間の温度ばらつきを低減させる均温化が重要となる。
【０００８】
従来、車両に搭載された蓄電装置を冷却する手法としては、ブロワによる送風や、冷凍サイクルを用いた冷却方式が一般的である。冷凍サイクルを用いた冷却方式は、例えば空冷方式、水冷方式または冷媒直接冷却方式である。
【０００９】
しかしながら、ブロワは車室内の空気を送風するだけなので冷却性能は低い。また、ブロワによる送風では空気の顕熱で冷却するため、空気流れの上流と下流とで温度差が大きくなり、電池セル間の温度分布が生じてしまう。
【００１０】
冷凍サイクルを用いた冷却方式では、冷却性能は高いが、電池セルとの熱交換部は空冷、水冷ともに顕熱冷却のため、電池セル間の温度分布が生じてしまう。そのため、冷媒直接冷却方式が好ましい。
【００１１】
また、駐車放置中にはブロワの冷却ファンや冷凍サイクルの圧縮機を駆動させる必要があるので、電力消費の増大や騒音などの問題が生じてしまい好ましくない。
【００１２】
これらの背景から、本出願人は、車両に搭載された蓄電装置の冷却方式として、コンプレッサを用いず冷媒の自然循環で冷却するサーモサイフォン方式を検討した。
【００１３】
具体的には、本出願人は、上記従来技術における電池温度調節装置を車両に搭載して、車両の蓄電装置を冷却することを検討した。
【００１４】
本出願人の検討によると、サーモサイフォン方式における冷却能力確保のためには、温度調節部にて蒸発したガス冷媒をすばやく熱媒体冷却部まで移動させることと、ヘッドをより高く確保することとが重要であることがわかった。
【００１５】
しかしながら、上記従来技術における電池温度調節装置を車両に搭載した場合、車両の加減速や登降坂の影響があるため全ての走行状況において蓄電装置を冷却することが難しいという問題があることがわかった。特に、加速時や登坂時には走行負荷が高くなって蓄電装置の発熱量が増加するので、冷却能力不足になりやすいという問題があることがわかった。
【００１６】
本発明は上記点に鑑みて、相変化を利用して冷媒を循環させることによって車載機器を冷却する車載機器冷却装置において、加速時や登坂時における冷却能力を確保することを目的とする。
【課題を解決するための手段】
【００１７】
上記目的を達成するため、請求項１に記載の車載機器冷却装置では、
冷媒が循環する冷媒回路（１２）と、
車載機器（１１）から吸熱して冷媒を蒸発させる蒸発部（１３１）と、蒸発部（１３１）へ冷媒を導く供給部（１３２）と、蒸発部（１３１）から排出された冷媒が流れる排出部（１３３）とを有する蒸発器（１３）と、
蒸発器（１３）で蒸発した冷媒を凝縮させる凝縮器（１４）と、
排出部（１３３）から凝縮器に冷媒を導くガス冷媒配管（１５）と、
凝縮器から供給部（１３２）に冷媒を導く液冷媒配管（１６）とを備え、
ガス冷媒配管（１５）は、冷媒が車両後方から車両前方へ向かって流れる前方流れ部（１５ａ）を有しており、排出部（１３３）から前方流れ部（１５ａ）に至る冷媒の流れ方向が車両後方側から車両前方側に向かう方向、車両下方側から車両上方側に向かう方向、および車両左右方向のうち少なくとも１つの方向になるように構成されている。
【００１８】
これによると、後述する図１、図３および図２３からわかるように、加速時には、車載機器冷却装置に、重力（Ｆｇ）に加えて慣性力（Ｆｉ）が作用する。そのため、蒸発器（１３）内において周囲を液冷媒に囲われたガス冷媒（１９）には重力と慣性力が同時に作用するので、ガス冷媒（１９）に車両前方斜め上方向の力（Ｆｒ）が作用することとなる。
【００１９】
すなわち、加速時には、排出部（１３３）から前方流れ部（１５ａ）に至る冷媒の流れ方向に概ね沿う方向の力（Ｆｒ）が作用することとなる。
【００２０】
その結果、蒸発器（１３）のガス冷媒（１９）がガス冷媒配管（１５）から抜けやすくなって冷媒流速が増加するので、冷却能力を向上させることできる。
【００２１】
登坂時においては車両が傾いていることにより、車載機器冷却装置に作用する重力（Ｆｇ）が、車両後方斜め下方向に傾いているため、加速時と同様に蒸発器（１３）のガス冷媒（１９）に作用する力が車両前方斜め上方向、すなわち排出部（１３３）から前方流れ部（１５ａ）に至る冷媒の流れ方向に概ね沿う方向になる。
【００２２】
その結果、ガス冷媒（１９）がガス冷媒配管（１５）から抜けやすくなって冷媒流速が増加するので、冷却能力を向上させることできる。
【００２３】
したがって、加速時や登坂時における冷却能力を確保することできる。
【００２４】
上記目的を達成するため、請求項８に記載の車載機器冷却装置では、
冷媒が循環する冷媒回路（１２）と、
少なくとも１つの車載機器（１１）から吸熱して冷媒を蒸発させる少なくとも１つの蒸発器（１３）と、
蒸発器（１３）で蒸発した冷媒を凝縮させる少なくとも１つの凝縮器（１４）と、
蒸発器（１３）で蒸発した冷媒を凝縮器（１４）に導くガス冷媒配管（１５）と、
凝縮器（１４）で凝縮した冷媒を蒸発器（１３）に導く液冷媒配管（１６）とを備え、
蒸発器（１３）のうち液冷媒配管（１６）と接続されている入口側接続部（１３ａ）は、蒸発器（１３）のうちガス冷媒配管（１５）と接続されている出口側接続部（１３ｂ）よりも車両後方に位置している。
【００２５】
これによると、後述する図１および図３からわかるように、加速時には、車載機器冷却装置に、重力（Ｆｇ）に加えて慣性力（Ｆｉ）が作用する。そのため、蒸発器（１３）内において周囲を液冷媒に囲われたガス冷媒（１９）には重力と慣性力が同時に作用するので、ガス冷媒（１９）に車両前方斜め上方向、すなわち出口側接続部（１３ｂ）に向かう方向の力（Ｆｒ）が作用することとなる。その結果、蒸発器（１３）のガス冷媒（１９）がガス冷媒配管（１５）に抜けやすくなるので、液冷媒配管（１６）におけるガス冷媒の逆流を抑制できる。
【００２６】
登坂時においては車両が傾いていることにより、車載機器冷却装置に作用する重力（Ｆｇ）が、車両後方斜め下方向に傾いているため、加速時と同様に蒸発器（１３）のガス冷媒（１９）に作用する力が車両前方斜め上方向、すなわち出口側接続部（１３ｂ）に向かう方向になる。その結果、ガス冷媒（１９）がガス冷媒配管（１５）に抜けやすくなるので、液冷媒配管（１６）におけるガス冷媒の逆流を抑制できる。
【００２７】
したがって、加速時や登坂時に冷媒流速が増加して冷却能力が向上するので、加速時や登坂時における冷却能力を確保することできる。
【００２８】
なお、この欄および特許請求の範囲で記載した各手段の括弧内の符号は、後述する実施形態に記載の具体的手段との対応関係を示すものである。
【図面の簡単な説明】
【００２９】
【図１】第１実施形態における車載機器冷却装置を搭載した車両の加速時を示す模式図である。
【図２】第１実施形態における車載機器冷却装置を示す全体構成図である。
【図３】図１における電池用蒸発器内のガス冷媒に作用する力を説明する説明図である。
【図４】第１実施形態における車載機器冷却装置を搭載した車両の登坂時を示す模式図である。
【図５】第２実施形態における車載機器冷却装置を搭載した車両の加速時を示す模式図である。
【図６】第２実施形態における車載機器冷却装置を搭載した車両の登坂時を示す模式図である。
【図７】第３実施形態の第１実施例における車載機器冷却装置を示す全体構成図である。
【図８】第３実施形態の第２実施例における車載機器冷却装置を示す全体構成図である。
【図９】第３実施形態の第３実施例における車載機器冷却装置を示す全体構成図である。
【図１０】第４実施形態における車載機器冷却装置を搭載した車両を示す模式図である。
【図１１】第５実施形態の第１実施例における車載機器冷却装置を示す全体構成図である。
【図１２】第５実施形態の第２実施例における車載機器冷却装置を示す全体構成図である。
【図１３】第６実施形態の第１実施例における車載機器冷却装置を示す全体構成図である。
【図１４】第６実施形態の第２実施例における車載機器冷却装置を示す全体構成図である。
【図１５】第６実施形態の第３実施例における車載機器冷却装置を示す全体構成図である。
【図１６】図１５の電池用蒸発器のＸＶＩ矢視図である。
【図１７】第７実施形態の第１実施例における車載機器冷却装置を示す全体構成図である。
【図１８】第７実施形態の第２実施例における車載機器冷却装置を示す全体構成図である。
【図１９】第８実施形態の第１実施例における車載機器冷却装置を示す全体構成図である。
【図２０】第８実施形態の第２実施例における車載機器冷却装置を示す全体構成図である。
【図２１】第９実施形態における車載機器冷却装置の電池用蒸発器を示す斜視図である。
【図２２】図２１における電池用蒸発器の断面図である。
【図２３】第９実施形態における車載機器冷却装置を搭載した車両の加速時を示す模式図である。
【図２４】第９実施形態における車載機器冷却装置を搭載した車両の登坂時を示す模式図である。
【図２５】第１０実施形態における車載機器冷却装置を示す全体構成図である。
【図２６】第１１実施形態における車載機器冷却装置を示す全体構成図である。
【図２７】第１２実施形態における車載機器冷却装置の一部を示す斜視図である。
【図２８】第１３実施形態における車載機器冷却装置を示す全体構成図である。
【図２９】第１３実施形態における車載機器冷却装置の一部を示す斜視図である。
【図３０】第１４実施形態の第１実施例における車載機器冷却装置を示す全体構成図である。
【図３１】第１４実施形態の第２実施例における車載機器冷却装置を示す全体構成図である。
【図３２】第１５実施形態における車載機器冷却装置を示す全体構成図である。
【発明を実施するための形態】
【００３０】
以下、実施形態について図に基づいて説明する。以下の各実施形態相互において、互いに同一もしくは均等である部分には、図中、同一符号を付してある。
【００３１】
（第１実施形態）
図１に示す本実施形態の車載機器冷却装置１０は、組電池１１を冷却する車載機器冷却装置である。組電池１１は、車両１に搭載された車載機器である。図１中、前後上下の矢印は、車両１における前後上下の各方向を示している。
【００３２】
組電池１１は、複数の電池セルを有している。複数の電池セルは、車両１の前後方向に配列されている。
【００３３】
組電池１１は、インバータなどを介して走行用モータに電気を供給する。組電池１１は、回生電力を蓄える蓄電池である。組電池１１の電池セルは、走行中など充放電使用時に自己発熱する。組電池１１が高温になると十分な機能を得られないだけでなく組電池１１の劣化や破損を招く。そのため、組電池１１を冷却して一定温度以下に維持する必要がある。
【００３４】
特に加速時や登坂時（換言すれば走行負荷が高い時）には組電池１１の放電量が多くなって発熱量が増加するので、組電池１１を高い冷却能力で冷却する必要がある。
【００３５】
組電池１１の温度は、走行中だけでなく夏期の駐車放置中などにも上昇する。組電池１１の電池セルを高温状態で放置すると寿命が大幅に低下するため、駐車放置中も冷却するなど電池温度を低温に維持する必要がある。
【００３６】
車載機器冷却装置１０によって温度調整される車載機器は、組電池１１の他、走行用インバータ、走行用モータおよびインタークーラ等あってもよい。走行用インバータ、走行用モータおよびインタークーラは、加速時や登坂時（換言すれば走行負荷が高い時）に放熱量が多くなる車載機器である。
【００３７】
車載機器冷却装置１０は  冷媒回路１２、電池用蒸発器１３、凝縮器１４、ガス冷媒配管１５および液冷媒配管１６を備える。
【００３８】
冷媒回路１２は、熱媒体としての冷媒が循環する熱媒体回路である。本実施形態では、冷媒としてフロン系冷媒が用いられている。冷媒として水が用いられていてもよい。
【００３９】
電池用蒸発器１３、凝縮器１４、ガス冷媒配管１５および液冷媒配管１６は、冷媒回路１２に配置されている。
【００４０】
電池用蒸発器１３は、組電池１１を冷媒の蒸発により冷却する機器用熱交換器である。電池用蒸発器１３は、組電池１１と熱伝導可能になっており、組電池１１の熱を冷媒に吸熱させることによって組電池１１を冷却するとともに冷媒を蒸発させる。
【００４１】
組電池１１は、電池用蒸発器１３の上に載っており、組電池１１の下面が電池用蒸発器１３の上面に熱伝導可能に当接している。組電池１１および電池用蒸発器１３は、車両１の前後方向略中央部における床下に配置されている。
【００４２】
組電池１１は、車両前後方向において、電池用蒸発器１３の前端部と後端部との間に配置されている。組電池１１の複数の電池セルのうち最も車両後方側に配置されている電池セル１１ａは、電池用蒸発器１３のうち最も車両後方側の端部よりも車両前方に位置している。組電池１１の複数の電池セルのうち最も車両前方側に配置されている電池セル１１ｂは、電池用蒸発器１３のうち最も車両前方側の端部よりも車両後方に位置している。
【００４３】
凝縮器１４は、電池用蒸発器１３で蒸発した冷媒を、外気と熱交換させて冷却凝縮させる熱交換器である。凝縮器１４は、車両１のエンジンルームに配置されている。凝縮器１４は、エンジンルームの最後部に配置されている。凝縮器１４は、電池用蒸発器１３よりも車両１の前方側かつ上方側に配置されている。
【００４４】
図２に示すように、凝縮器１４には、室外送風機１７によって外気が送風される。室外送風機１７は、車両１のエンジンルームに配置されている。
【００４５】
ガス冷媒配管１５および液冷媒配管１６は、電池用蒸発器１３と凝縮器１４とを接続する冷媒配管である。ガス冷媒配管１５は、電池用蒸発器１３で蒸発した冷媒を凝縮器１４に導く冷媒配管である。液冷媒配管１６は、凝縮器１４で凝縮した冷媒を電池用蒸発器１３に導く冷媒配管である。
【００４６】
ガス冷媒配管１５および液冷媒配管１６は、電池用蒸発器１３に車両１の上方側から接続されている。
【００４７】
電池用蒸発器１３の入口側接続部１３ａは、電池用蒸発器１３の出口側接続部１３ｂよりも車両１の後方側に位置している。入口側接続部１３ａは、電池用蒸発器１３のうち液冷媒配管１６が接続される部位である。出口側接続部１３ｂは、電池用蒸発器１３のうちガス冷媒配管１５が接続される部位である。
【００４８】
入口側接続部１３ａは、複数の電池セルのうち最も車両後方に位置している電池セル１１ａよりも車両後方側に位置している。出口側接続部１３ｂは、複数の電池セルのうち最も車両前方に位置している電池セル１１ｂよりも車両前方側に位置している。
【００４９】
凝縮器１４は、入口側接続部１３ａよりも車両前方に位置している。凝縮器１４は、電池用蒸発器１３よりも車両前方に配置されている。
【００５０】
入口側接続部１３ａおよび出口側接続部１３ｂは、車両１の上下方向において、互いに同じ高さに配置されている。
【００５１】
次に、上記構成における作動を説明する。組電池１１の温度が外気温度よりも高い場合、車載機器冷却装置１０の冷媒回路１２では、サーモサイフォン現象（換言すれば相変化）によって冷媒が循環する。
【００５２】
具体的には、電池用蒸発器１３内において、液冷媒は組電池１１からの熱を吸熱して蒸発してガス冷媒となる。電池用蒸発器１３内で蒸発したガス冷媒は、出口側接続部１３ｂを介してガス冷媒配管１５に流入し、ガス冷媒配管１５を上昇して凝縮器１４に流入する。
【００５３】
凝縮器１４では、ガス冷媒配管１５から流入したガス冷媒が外気に放熱して凝縮し、液冷媒となる。凝縮器１４で凝縮した液冷媒は、重力により液冷媒配管１６を流下して入口側接続部１３ａを介して電池用蒸発器１３に流入する。
【００５４】
このように冷媒回路１２を冷媒が循環することによって、電池用蒸発器１３で組電池１１を冷却できる。動力を利用することなく冷媒回路１２に冷媒を循環させることができるので、省動力化を図ることができるとともに、駐車放置時にも組電池１１を冷却できる。
【００５５】
図１に示すように、車載機器冷却装置１０が搭載された車両１の加速時には、加速による慣性力Ｆｉが作用する。図３に示すように、電池用蒸発器１３内において液冷媒に慣性力Ｆｉが作用するため、液冷媒中のガス冷媒１９に作用する力Ｆｒの方向は、車両前方斜め上方向、すなわち出口側接続部１３ｂに向かう方向に作用することなる。そのため、電池用蒸発器１３のガス冷媒１９がガス冷媒配管１５に抜けやすくなる。
【００５６】
これにより、液冷媒配管１６におけるガス冷媒の逆流を抑制できる。また、電池用蒸発器１３のうち組電池１１と熱伝導が行われる部位の近傍に液冷媒が供給されやすくなるので、液冷媒の沸騰が促進される。
【００５７】
図１に示すように、加速時には、ヘッドの力方向Ｆｈは、重力Ｆｇと加速による慣性力Ｆｉとの合力の方向になる。そのため、加速時には、非加速時と比較してヘッドＨｄが拡大される。理解を容易にするために、図１に、非加速時と比較した加速時のヘッドＨｄの拡大量ΔＨｄを示している。
【００５８】
ヘッドＨｄ、回路内圧損ΔＰ、流速ｖには次式のような関係がある。
【００５９】
ρｇＨｄ＝ΔＰ＋（１／２）ρｖ２
上記数式において、ρは密度であり、ｇは重力加速度である。また、流速ｖが上昇すると回路内圧損ΔＰも上昇する関係を持つ。この関係および上述の数式より、ヘッドＨｄが拡大されると冷媒の流速が上昇することは明らかである。
【００６０】
したがって、加速時にはガス冷媒の流速が上昇することにより、車載機器冷却装置１０内を循環する冷媒流量が上昇するので、液冷媒配管１６におけるガス冷媒の逆流を抑制できる。冷媒流量が上昇することによって、電池用蒸発器１３および凝縮器１４の熱交換量も上昇する。
【００６１】
よって、加速時には、電池用蒸発器１３による組電池１１の冷却性能を向上できるので、加速時に組電池１１の発熱量が多くなっても組電池１１を良好に冷却できる。
【００６２】
図４に示すように、車載機器冷却装置１０が搭載された車両１の登坂時には、車両の前部が後部よりも上方に位置することになる。そのため、車載機器冷却装置１０が重力Ｆｇの方向に対して斜めになり、ガス冷媒配管１５が電池用蒸発器１３の上方に位置することになるので、図４中の太線矢印で示すように電池用蒸発器１３のガス冷媒がガス冷媒配管１５に抜けやすくなる。
【００６３】
これにより、加速時と同様に、液冷媒配管１６におけるガス冷媒の逆流を抑制できる。また、電池用蒸発器１３のうち組電池１１と熱伝導が行われる部位の近傍に液冷媒が供給されやすくなるので、液冷媒の沸騰が促進される。
【００６４】
一定速度で登坂している場合、ヘッドの力方向Ｆｈは重力Ｆｇの方向と同じである。そのため、一定速度での登坂時には、一定速度での降坂時と比較してヘッドＨｄが拡大されるので、冷媒の流速が上昇する。冷媒の流速が上昇することによって、車載機器冷却装置１０内を循環する冷媒流量が上昇する。したがって、液冷媒配管１６におけるガス冷媒の逆流を抑制できる。冷媒流量が上昇することによって、電池用蒸発器１３および凝縮器１４の熱交換量も上昇する。
【００６５】
よって、登坂時には、加速時と同様に、電池用蒸発器１３による組電池１１の冷却性能を向上できるので、登坂時に組電池１１の発熱量が多くなっても組電池１１を良好に冷却できる。
【００６６】
減速時や降坂時には、回生による充電量を小さく抑えれば組電池１１の発熱量を小さく抑えることができるので、組電池１１の冷却性能が加速時や登坂時よりも小さくなっても支障はない。
【００６７】
回生による充電とは、減速時や降坂時に運動エネルギーを回生電力に変換して充電することを言う。
【００６８】
電池用蒸発器１３の入口側接続部１３ａは、組電池１１の複数の電池セルのうち最も車両後方側に位置している電池セル１１ａよりも車両後方側に位置しているので、加速時や登坂時に全ての電池セルに液冷媒を良好に供給することができる。そのため、加速時や登坂時に各電池セルの発熱量が多くなっても全ての電池セルを極力均等に冷却できる。
【００６９】
凝縮器１４は、電池用蒸発器１３の入口側接続部１３ａよりも車両前方側に位置しているので、加速時や登坂時に電池用蒸発器１３内のガス冷媒が凝縮器１４に流れ込みやすくなる。そのため、加速時や登坂時に組電池１１の発熱量が多くなっても組電池１１を良好に冷却できる。
【００７０】
電池用蒸発器１３の出口側接続部１３ｂは、組電池１１の複数の電池セルのうち最も車両前方側に位置している電池セル１１ｂよりも車両前方側に位置しているので、加速時や登坂時に電池用蒸発器１３内からガス冷媒が抜けやすくなる。そのため、電池用蒸発器１３内のガス冷媒が電池セルの近傍で滞留することが抑制されるので、加速時や登坂時に各電池セルの発熱量が多くなっても全ての電池セルを極力均等に冷却することができる。
【００７１】
凝縮器１４は、電池用蒸発器１３よりも車両前方側に配置されているので、電池用蒸発器１３の出口側接続部１３ｂを、組電池１１の複数の電池セルのうち最も車両前方側に位置している電池セル１１ｂよりも車両前方側に位置させることが容易になる。
【００７２】
本実施形態では、電池用蒸発器１３の入口側接続部１３ａは、電池用蒸発器１３の出口側接続部１３ｂよりも車両後方に位置している。
【００７３】
これによると、上述のように、加速時には、電池用蒸発器１３内において液冷媒中のガス冷媒１９に作用する力Ｆｒの方向が車両前方斜め上方向になる。そのため、電池用蒸発器１３のガス冷媒１９がガス冷媒配管１５に抜けやすくなるので、液冷媒配管１６におけるガス冷媒の逆流を抑制できる。図４からわかるように、登坂時には、加速時と同様に、電池用蒸発器１３のガス冷媒１９がガス冷媒配管１５に抜けやすくなるので、液冷媒配管１６におけるガス冷媒の逆流を抑制できる。
【００７４】
したがって、上記従来技術のようにＵ字管のような逆流防止構造を用いて冷媒の逆流を抑制する場合と比較して、車両への搭載性を向上できる。
【００７５】
本実施形態では、凝縮器１４は、電池用蒸発器１３の入口側接続部１３ａよりも車両前方に位置している。
【００７６】
これによると、図１からわかるように、加速時には、加速の慣性力ＦｉによりヘッドＨｄが拡大されるので、車載機器冷却装置１０内を循環する冷媒流量が上昇する。図４からわかるように、登坂時には、車両１が傾くことによってヘッドＨｄが拡大されるので、車載機器冷却装置１０内を循環する冷媒流量が上昇する。そのため、加速時や登坂時に液冷媒配管１６におけるガス冷媒の逆流を一層抑制できる。冷媒流量が上昇することによって、電池用蒸発器１３および凝縮器１４の熱交換量も上昇する。
【００７７】
本実施形態では、電池用蒸発器１３の入口側接続部１３ａは、組電池１１よりも車両後方に位置している。
【００７８】
これによると、電池用蒸発器１３のうち組電池１１を冷却する部位の全体に液冷媒を良好に供給することができるので、組電池１１全体を極力均等に冷却することができる。
【００７９】
本実施形態では、凝縮器１４は、電池用蒸発器１３の出口側接続部１３ｂよりも車両前方に位置している。
【００８０】
これによると、加速時や登坂時に電池用蒸発器１３内のガス冷媒が凝縮器１４に流れ込みやすくなる。そのため、加速時や登坂時に組電池１１の発熱量が多くなっても組電池１１を良好に冷却することができる。
【００８１】
本実施形態では、電池用蒸発器１３の出口側接続部１３ｂは、組電池１１よりも車両前方に位置している。
【００８２】
これによると、加速時や登坂時に電池用蒸発器１３内からガス冷媒が抜けやすくなる。そのため、電池用蒸発器１３内のガス冷媒が組電池１１の近傍で滞留することを抑制できるので、加速時や登坂時に組電池１１の発熱量が多くなっても組電池１１全体を極力均等に冷却することができる。
【００８３】
特に本実施形態のように組電池１１が充放電可能な複数の電池セルを有している場合、複数の電池セルを極力均等に冷却することができるので、複数の電池セルの劣化に偏りが生じることを抑制でき、ひいては組電池１１の性能低下を抑制できる。
【００８４】
本実施形態では、電池用蒸発器１３の入口側接続部１３ａは、複数の電池セルのうち最も車両後方に位置する電池セル１１ａよりも車両後方に位置している。これによると、電池用蒸発器１３内おいて全ての電池セルの近傍に液冷媒を良好に供給することができるので、複数の電池セルの冷却を一層均等化できる。
【００８５】
本実施形態では、電池用蒸発器１３の出口側接続部１３ｂは、複数の電池セルのうち最も車両前方に位置する電池セル１１ｂよりも車両前方に位置している。
【００８６】
これによると、電池用蒸発器１３内に全ての電池セルの近傍においてガス冷媒が滞留することを抑制できるので、加速時や登坂時に電池セルの発熱量が多くなっても全ての電池セルを極力均等に冷却することができる。
【００８７】
（第２実施形態）
上記実施形態では、凝縮器１４は、電池用蒸発器１３よりも車両前方側に配置されているが、本実施形態では、図５、図６に示すように、凝縮器１４は、電池用蒸発器１３の真上に配置されている。図５は車両１の加速時を示し、図６は車両１の登坂時を示している。
【００８８】
本実施形態においても、凝縮器１４は、入口側接続部１３ａよりも車両前方側に位置している。これにより、上記実施形態と同様に、加速時および登坂時にヘッドＨｄが拡大されるので、車載機器冷却装置１０内を循環する冷媒流量が上昇する。そのため、液冷媒配管１６におけるガス冷媒の逆流を抑制できる。冷媒流量が上昇することによって、電池用蒸発器１３および凝縮器１４の熱交換量も上昇する。
【００８９】
（第３実施形態）
上記実施形態では、凝縮器１４は冷媒と空気とを熱交換させる熱交換器であるが、凝縮器１４は冷媒と種々の冷却用媒体とを熱交換させる熱交換器であってもよい。
【００９０】
図７に示す第１実施例のように、凝縮器１４は冷媒と冷却水回路２０の冷却水とを熱交換させる熱交換器であってもよい。冷却水回路２０は、冷却水が循環する回路である。冷却水回路２０には、凝縮器１４とポンプ２１とが配置されている。ポンプ２１は、冷却水回路２０の冷却水を吸入して吐出する。
【００９１】
図８に示す第２実施例のように、凝縮器１４は、冷媒回路１２の冷媒と冷凍サイクル３０の冷媒とを熱交換させる熱交換器であってもよい。冷凍サイクル３０は、圧縮機３１と放熱器３２と膨張弁３３とを備える。
【００９２】
圧縮機３１は、冷凍サイクル３０の冷媒を吸入して圧縮し吐出する。放熱器３２は、圧縮機３１から吐出された冷媒を放熱させて凝縮させる熱交換器である。膨張弁３３は、放熱器３２で凝縮された冷媒を減圧膨張させる減圧部である。
【００９３】
凝縮器１４は、膨張弁３３で減圧膨張された冷凍サイクル３０の冷媒と、蒸発器１１で蒸発した冷媒回路１２の冷媒とを熱交換させて、冷凍サイクル３０の冷媒を蒸発させるとともに冷媒回路１２の冷媒を凝縮させる。
【００９４】
図９に示す第３実施例のように、冷凍サイクル３０は、空調用膨張弁３４および空調用蒸発器３５を備えていてもよい。
【００９５】
空調用膨張弁３４は、放熱器３２で凝縮された冷媒を減圧膨張させる減圧部である。空調用蒸発器３５は、冷凍サイクル３０の冷媒と車室内へ送風させる空気とを熱交換させて車室内へ送風させる空気を冷却する冷却用熱交換器である。
【００９６】
空調用膨張弁３４および空調用蒸発器３５は、冷凍サイクル３０の冷媒流れにおいて放熱器３２と並列に配置されている。
【００９７】
本実施形態においても、上記実施形態と同様の作用効果を奏することができる。
【００９８】
（第４実施形態）
上記実施形態では、凝縮器１４はエンジンルームの最後部に配置されているが、図１０に示すように、凝縮器１４は、エンジンルームの最前部に配置されていてもよい。
【００９９】
本実施形態においても、上記実施形態と同様の作用効果を奏することができる。
【０１００】
（第５実施形態）
図１１、図１２に示すように、車載機器冷却装置１０は、凝縮器１４を複数個備えていてもよい。
【０１０１】
図１１に示す第１実施例では、全ての凝縮器１４が電池用蒸発器１３よりも車両前方側に配置されている。
【０１０２】
図１２に示す第２実施例のように、複数個の凝縮器１４のうち一部の凝縮器１４が電池用蒸発器１３よりも車両前方側に配置されていてもよい。
【０１０３】
本実施形態の第１実施例では、複数個の凝縮器１４はいずれも、入口側接続部１３ａおよび出口側接続部１３ｂよりも車両前方に位置している。
【０１０４】
これによると、加速時や登坂時に電池用蒸発器１３内のガス冷媒が全ての凝縮器１４に流れ込みやすくなる。そのため、複数個の凝縮器１４において冷媒の凝縮を均等化できるので、加速時や登坂時に組電池１１の発熱量が多くなっても組電池１１を良好に冷却することができる。
【０１０５】
（第６実施形態）
上記実施形態では、ガス冷媒配管１５および液冷媒配管１６は、電池用蒸発器１３に車両上方側から接続されているが、図１３〜図１５に示すように、ガス冷媒配管１５および液冷媒配管１６は、電池用蒸発器１３に車両水平方向側から接続されていてもよい。
【０１０６】
図１３に示す第１実施例では、入口側接続部１３ａおよび出口側接続部１３ｂは、車両１の高さ方向における位置が互いに同じになっている。
【０１０７】
図１４、図１５に示すように、入口側接続部１３ａおよび出口側接続部１３ｂは、車両１の高さ方向における位置が互いにずれていてもよい。入口側接続部１３ａは、出口側接続部１３ｂよりも車両上方側に位置しているのが好ましい。
【０１０８】
図１４に示す第２実施例では、組電池１１は、電池用蒸発器１３に対して水平方向に並んでおり、組電池１１の側面が電池用蒸発器１３の側面に熱伝導可能に当接している。
【０１０９】
図１５に示す第３実施例では、組電池１１は、電池用蒸発器１３の上に載っており、組電池１１の下面が電池用蒸発器１３の上面に熱伝導可能に当接している。この実施例では、図１６に示すように、電池用蒸発器１３のうち出口側接続部１３ｂが形成されている部位が、電池用蒸発器１３のうち入口側接続部１３ａが形成されている部位よりも、車両上方側に位置する形状になっている。これにより、電池用蒸発器１３内からガス冷媒が抜けやすくなる。
【０１１０】
本実施形態においても、上記実施形態と同様の作用効果を奏することができる。
【０１１１】
（第７実施形態）
図１７、図１８に示すように、車載機器冷却装置１０は、組電池１１および電池用蒸発器１３を複数個ずつ備えていてもよい。
【０１１２】
図１７に示す第１実施例では、凝縮器１４は、全ての電池用蒸発器１３よりも車両前方側に配置されている。これにより、全ての電池用蒸発器１３に冷媒を良好に循環させることができるので、全ての組電池１１を良好に冷却できる。そのため、全ての組電池１１の温度を均等化できるので、組電池１１の劣化を抑制できる。
【０１１３】
図１８に示す第２実施例のように、凝縮器１４は、複数の電池用蒸発器１３のうち一部の電池用蒸発器１３よりも車両前方側に配置されていてもよい。
【０１１４】
本実施形態の第１実施例では、凝縮器１４は、全ての電池用蒸発器１３における入口側接続部１３ａよりも車両前方に位置しており、全ての電池用蒸発器１３における入口側接続部１３ａは、組電池１１よりも車両後方に位置しており、凝縮器１４は、全ての電池用蒸発器１３における出口側接続部１３ｂよりも車両前方に位置しており、全ての電池用蒸発器１３における出口側接続部１３ｂは、組電池１１よりも車両前方に位置している。
【０１１５】
これにより、全ての電池用蒸発器１３に冷媒を良好に循環させることができるので、全ての組電池１１を良好に冷却できる。そのため、全ての組電池１１の温度を均等化できるので、全ての組電池１１の劣化を抑制できる。
【０１１６】
（第８実施形態）
図１９、図２０に示すように、車載機器冷却装置１０は、冷媒回路１２、電池用蒸発器１３、凝縮器１４、ガス冷媒配管１５および液冷媒配管１６を複数組備えていてもよい。
【０１１７】
図１９に示す第１実施例では、複数個の冷媒回路１２のいずれにおいても、凝縮器１４は、電池用蒸発器１３よりも車両前方側に配置されている。
【０１１８】
図２０に示す第２実施例のように、複数の冷媒回路１２のうち一方の冷媒回路１２（図２０では左方の冷媒回路１２）では、凝縮器１４は、電池用蒸発器１３よりも車両前方側に配置されており、他方の冷媒回路（図２０では右方の冷媒回路１２）では、凝縮器１４は、電池用蒸発器１３の直上に配置されていてもよい。
【０１１９】
本実施形態の第１実施例では、それぞれの機器冷却冷媒回路１２において、凝縮器１４は、入口側接続部１３ａおよび出口側接続部１３ｂよりも車両前方に位置しており、入口側接続部１３ａは、組電池１１よりも車両後方に位置しており、出口側接続部１３ｂは、組電池１１よりも車両前方に位置している。
【０１２０】
これにより、全ての電池用蒸発器１３に冷媒を良好に循環させることができるので、全ての組電池１１を良好に冷却できる。そのため、全ての組電池１１の温度を均等化できるので、全ての組電池１１の劣化を抑制できる。
【０１２１】
（第９実施形態）
本実施形態は、第６実施形態の第２実施例を、より具体化したものである。図２１および図２２に示すように、電池用蒸発器１３は、蒸発部１３１と供給部１３２と排出部１３３とを有している。蒸発部１３１は、組電池１１から吸熱して冷媒を蒸発させる。蒸発部１３１は、複数の互いに並列な冷媒流路を有している。供給部１３２は、蒸発部１３１の複数の冷媒流路に冷媒を分配する分配タンクである。供給部１３２には、蒸発部１３１に供給される冷媒が流れる。排出部１３３は、蒸発部１３１の複数の冷媒流路を流れた冷媒が集合する集合タンクである。排出部１３３には、蒸発部１３１から排出された冷媒が流れる。
【０１２２】
蒸発部１３１は、凝縮器１４よりも車両後方側かつ車両下方側に位置している。蒸発部１３１は、車両前後方向に延びる形状を有している。
【０１２３】
蒸発部１３１の側面は平面状になっている。蒸発部１３１の側面には、組電池１１が配置されている。組電池１１の複数の電池セルは、車両前後方向に並べられている。組電池１１の各電池セルの端子１１１は、電池セルのうち蒸発部１３１とは反対側の側面に配置されている。
【０１２４】
蒸発部１３１と組電池１１との間に、電気絶縁熱伝導シート１８が介在している。電気絶縁熱伝導シート１８は、電気絶縁性と熱伝導性とを有する薄膜状の部材である。蒸発部１３１と組電池１１との間に、板状の熱伝導部材が介在していてもよい。
【０１２５】
供給部１３２は、蒸発部１３１の下方側に配置されている。蒸発部１３１は、蒸発部１３１の上方側に配置されている。供給部１３２および排出部１３３は、車両前後方向に長く延びる形状を有している。
【０１２６】
入口側接続部１３ａは、供給部１３２のうち車両後方側の端部に設けられている。換言すれば、入口側接続部１３ａは、供給部１３２のうち組電池１１よりも車両後方側の部位に設けられている。出口側接続部１３ｂは、排出部１３３のうち車両前方側の端部に設けられている。換言すれば、出口側接続部１３ｂは、供給部１３２のうち組電池１１よりも車両前方側の部位に設けられている。
【０１２７】
ガス冷媒配管１５は前方流れ部１５ａを有している。前方流れ部１５ａは、冷媒が車両後方から車両前方へ向かって流れる部位である。前方流れ部１５ａは、車両前後方向に延びている。
【０１２８】
前方流れ部１５ａは、電池用蒸発器１３の排出部１３３に直接接続されている。電池用蒸発器１３の排出部１３３から前方流れ部１５ａに至る冷媒の流れ方向は、車両後方から車両前方へ向かう方向になっている。
【０１２９】
車載機器冷却装置１０が搭載された車両１の加速時には、加速による慣性力Ｆｉが作用する。このとき、上記第１実施形態において図３を用いて説明したように、液冷媒中のガス冷媒１９に作用する力Ｆｒの方向は、車両前方斜め上方向に作用することなる。
【０１３０】
排出部１３３が車両前後方向に長く延びる形状を有していて、出口側接続部１３ｂが排出部１３３のうち車両前方側の端部に設けられているので、車両１の加速時に、電池用蒸発器１３のガス冷媒が排出部１３３および出口側接続部１３ｂを通じてガス冷媒配管１５に抜けやすくなる。
【０１３１】
蒸発部１３１で液冷媒が沸騰してガス化すると、ガス冷媒が液冷媒を押し上げてしまい、液冷媒が排出部１３３やガス冷媒配管１５に溜まってしまう。排出部１３３やガス冷媒配管１５に溜まった液冷媒は、ガス冷媒の排出性を悪化させる原因となる。
【０１３２】
本実施例では、ガス冷媒配管１５の前方流れ部１５ａが電池用蒸発器１３の出口側接続部１３ｂに直接接続されていて、電池用蒸発器１３の排出部１３３から前方流れ部１５ａに至る冷媒の流れ方向が車両後方から車両前方へ向かう方向になっているので、電池用蒸発器１３の排出部１３３からガス冷媒配管１５に流入したガス冷媒がガス冷媒配管１５から抜けやすくなる。
【０１３３】
電池用蒸発器１３およびガス冷媒配管１５のガス冷媒が抜けやすくなると冷媒の流速が上昇するので、電池冷却性能が向上する。
【０１３４】
図２３に示すように、加速時には、ヘッドの力方向Ｆｈは、重力Ｆｇと加速による慣性力Ｆｉとの合力の方向になる。蒸発部１３１が凝縮器１４よりも車両後方側に位置しているので、加速時には、一定速度で走行している時と比較してヘッドＨｄが拡大される。理解を容易にするために、図２３に、一定速度で走行している時と比較した加速時のヘッドＨｄの拡大量ΔＨｄを示している。
【０１３５】
上記第１実施形態で説明したように、ヘッドＨｄが拡大されると冷媒の流速が上昇するので、電池冷却性能が向上する。
【０１３６】
以上のことから、組電池１１の発熱量が多くなる加速時に、必要な電池冷却性能を確保できる。
【０１３７】
図２４に示すように、車両１の登坂時には、車両の前部が後部よりも上方に位置することになる。そのため、車載機器冷却装置１０が重力Ｆｇの方向に対して斜めになり、ガス冷媒配管１５が電池用蒸発器１３の上方に位置することになる。
【０１３８】
排出部１３３が車両前後方向に長く延びる形状を有していて、出口側接続部１３ｂが排出部１３３のうち車両前方側の端部に設けられているので、車両１の登坂時に、図２４中の太線矢印で示すように電池用蒸発器１３のガス冷媒がガス冷媒配管１５に抜けやすくなる。したがって、加速時と同様に、電池冷却性能が向上する。
【０１３９】
本実施例では、ガス冷媒配管１５の前方流れ部１５ａが電池用蒸発器１３の排出部１３３に直接接続されていて、電池用蒸発器１３の排出部１３３から前方流れ部１５ａに至る冷媒の流れ方向が車両後方から車両前方へ向かう方向になっているので、電池用蒸発器１３の排出部１３３からガス冷媒配管１５に流入したガス冷媒がガス冷媒配管１５から抜けやすくなる。
【０１４０】
一定速度で登坂している場合、ヘッドの力方向Ｆｈは重力Ｆｇの方向と同じである。蒸発部１３１が凝縮器１４よりも車両後方側に位置しているので、一定速度での登坂時には、一定速度で水平な路面を走行している時と比較してヘッドＨｄが拡大される。理解を容易にするために、図２４に、一定速度で水平な路面を走行している時と比較した加速時のヘッドＨｄの拡大量ΔＨｄを示している。したがって、加速時と同様に、電池冷却性能が向上する。
【０１４１】
以上のことから、組電池１１の発熱量が多くなる登坂時に、必要な電池冷却性能を確保できる。
【０１４２】
減速時の組電池１１の必要冷却量は加速時の必要冷却量よりも小さい。降坂時の組電池１１の必要冷却量は登坂時の必要冷却量よりも小さい。減速時や降坂時には、回生による充電量を小さく抑えれば組電池１１の発熱量を小さく抑えることができる。したがって、減速時や降坂時における電池冷却性能が加速時や登坂時よりも小さくなっても支障はない。
【０１４３】
本実施例では、電池用蒸発器１３の排出部１３３から前方流れ部１５ａに至る冷媒の流れ方向が車両後方から車両前方へ向かう方向になっているが、電池用蒸発器１３の排出部１３３から前方流れ部１５ａに至る冷媒の流れ方向が車両上方側から車両下方側に向かう方向、および車両前方側から車両後方側に向かう方向を除く方向になるように構成されていればよい。
【０１４４】
電池用蒸発器１３の排出部１３３から前方流れ部１５ａに至る冷媒の流れ方向が車両上方側から車両下方側に向かう方向になっていると、軽いガス冷媒が下方に流れる構成となるためガス排出性が悪化するからである。また、電池用蒸発器１３の排出部１３３から前方流れ部１５ａに至る冷媒の流れ方向が車両前方側から車両後方側に向かう方向になっていると、加速時や登坂時に電池用蒸発器１３の排出部１３３と前方流れ部１５ａとの間でガス排出性が悪化するからである。
【０１４５】
すなわち、車載機器冷却装置１０は、電池用蒸発器１３の排出部１３３からガス冷媒配管１５の前方流れ部１５ａに至る冷媒の流れ方向が車両後方側から車両前方側に向かう方向、車両下方側から車両上方側に向かう方向、および車両左右方向のうち少なくとも１つの方向になるように構成されていれば、液冷媒が排出部１３３やガス冷媒配管１５に溜まっていても、加速時や登坂時にガス冷媒が抜けやすくなるので、冷媒流速が増加して冷却能力を向上できる。
【０１４６】
本実施形態では、電池用蒸発器１３の排出部１３３は、車両前後方向に延びる形状を有している。これにより、加速時や登坂時に排出部１３３からガス冷媒が抜けやすくなるので、冷媒流速が増加して冷却能力を向上できる。
【０１４７】
本実施形態では、電池用蒸発器１３の蒸発部１３１は、凝縮器１４よりも車両後方側に位置している。これにより、加速時や登坂時にヘッドＨｄが拡大されるので、冷媒流速が増加して冷却能力を向上できる。
【０１４８】
本実施形態では、電池用蒸発器１３において、排出部１３３は、供給部１３２よりも車両上方側に位置している。これにより、電池用蒸発器１３の蒸発部１３１で蒸発したガス冷媒が排出部１３３に抜けやすくなるので、冷媒流速が増加して冷却能力を向上できる。
【０１４９】
本実施形態では、電池用蒸発器１３の供給部１３２のうち液冷媒配管１６が接続される部位は、車載機器１１よりも車両後方側に位置している。これにより、加速時や登坂時におけるヘッドＨｄの拡大量が大きくなるので、冷媒流速が顕著に増加して冷却能力を顕著に向上できる。
【０１５０】
（第１０実施形態）
上記第９実施形態では、入口側接続部１３ａは、供給部１３２のうち車両後方側の端部に設けられているが、本実施形態では、図２５に示すように、入口側接続部１３ａは、供給部１３２のうち車両前方側の端部に設けられている。
【０１５１】
換言すれば、入口側接続部１３ａは、組電池１１よりも車両前方側の部位に設けられている。
【０１５２】
（第１１実施形態）
上記第９実施形態では、入口側接続部１３ａは、供給部１３２のうち組電池１１よりも車両後方側の部位に設けられており、上記第１０実施形態では、入口側接続部１３ａは、供給部１３２のうち組電池１１よりも車両前方側の部位に設けられているが、本実施形態では、図２６に示すように、入口側接続部１３ａは、供給部１３２のうち車両前後方向の略中央部に設けられている。
【０１５３】
本実施形態においても、上記第９実施形態と同様に、蒸発部１３１が凝縮器１４よりも車両後方側に位置していて、入口側接続部１３ａが凝縮器１４よりも車両後方側に位置している。したがって、上記第９実施形態と同様に、車両の加速時や登坂時にヘッドＨｄが拡大される。
【０１５４】
本実施形態では、出口側接続部１３ｂは、電池用蒸発器１３の排出部１３３のうち車両前後方向の略中央部に設けられている。したがって、本実施形態では、車両１の加速時や登坂時に、排出部１３３のうち出口側接続部１３ｂよりも車両後方側部位のガス冷媒がガス冷媒配管１５に抜けやすくなる。
【０１５５】
本実施形態では、ガス冷媒配管１５の前方流れ部１５ａは、上方流れ部１５ｂを介して電池用蒸発器１３の出口側接続部１３ｂに接続されている。上方流れ部１５ｂは、冷媒が車両下方から車両上方へ向かって流れる部位である。上方流れ部１５は、車両上下方向に延びている。
【０１５６】
これにより、電池用蒸発器１３の排出部１３３から前方流れ部１５ａに至る冷媒の流れ方向は、車両下方から車両上方へ向かって流れた後に車両後方から車両前方へ向かう方向になる。したがって、電池用蒸発器１３の排出部１３３からガス冷媒配管１５に流入したガス冷媒は、ガス冷媒配管１５から抜けやすくなる。
【０１５７】
（第１２実施形態）
上記第９実施形態では、電池用蒸発器１３は１つであるが、本実施形態では、図２７に示すように、電池用蒸発器１３は複数である。複数の電池用蒸発器１３は、車両の左右方向に並べられている。
【０１５８】
複数の電池用蒸発器１３の構成は、上記第９実施形態における電池用蒸発器１３の構成と同様である。
【０１５９】
例えば、複数の電池用蒸発器１３の供給部１３２および排出部１３３はいずれも、車両前後方向に長く延びる形状を有している。例えば、複数の電池用蒸発器１３の蒸発部１３１はいずれも、凝縮器１４よりも車両後方側かつ車両下方側に位置している。
【０１６０】
本実施形態では、ガス冷媒配管１５の前方流れ部１５ａは、側方流れ部１５ｃおよび上方流れ部１５ｂを介して電池用蒸発器１３の出口側接続部１３ｂに接続されている。
【０１６１】
側方流れ部１５ｃは、冷媒が車両左右方向に流れる部位である。側方流れ部１５ｃは、車両左右方向に延びている。側方流れ部１５ｃは、複数の電池用蒸発器１３の出口側接続部１３ｂ同士を連結する連結配管である。
【０１６２】
これにより、電池用蒸発器１３の排出部１３３から前方流れ部１５ａに至る冷媒の流れは、車両左右方向に流れた後に車両下方から車両上方へ向かって流れ、さらに車両後方から車両前方へ向かって流れる。したがって、電池用蒸発器１３の排出部１３３からガス冷媒配管１５に流入したガス冷媒は、ガス冷媒配管１５から抜けやすくなる。
【０１６３】
（第１３実施形態）
上記第１２実施形態では、複数の電池用蒸発器１３の蒸発部１３１、供給部１３２および排出部１３３はいずれも車両前後方向に延びる形状を有していて、組電池１１の複数の電池セルは、車両前後方向に並べられているが、本実施形態では、図２８および図２９に示すように、複数の電池用蒸発器１３の蒸発部１３１、供給部１３２および排出部１３３はいずれも車両左右方向に延びる形状を有していて、組電池１１の複数の電池セルは、車両左右方向に並べられている。
【０１６４】
本実施形態においても、複数の電池用蒸発器１３の蒸発部１３１はいずれも、凝縮器１４よりも車両後方側かつ車両下方側に位置している。
【０１６５】
本実施形態では、ガス冷媒配管１５の前方流れ部１５ａは、複数の電池用蒸発器１３の出口側接続部１３ｂに直接接続されている。
【０１６６】
これにより、電池用蒸発器１３の排出部１３３から前方流れ部１５ａに至る冷媒の流れは、排出部１３３では車両左右方向に流れ、排出部１３３から前方流れ部１５ａに流入する際も車両左右方向に流れ、前方流れ部１５ａでは車両後方から車両前方へ向かって流れる。したがって、電池用蒸発器１３の排出部１３３からガス冷媒配管１５に流入したガス冷媒は、ガス冷媒配管１５から抜けやすくなる。
【０１６７】
本実施形態では、ガス冷媒配管１５の前方流れ部１５ａは、複数個の蒸発器１３同士を連結している。これにより、ガス冷媒配管１５のうち複数個の蒸発器１３間を連結している部位からガス冷媒が抜けやすくなるので、冷媒流速が増加して冷却能力を向上できる。
【０１６８】
（第１４実施形態）
上記第１３実施形態では、電池用蒸発器１３が複数であるのに対しておよび凝縮器１４は１つであるが、本実施形態では、図３０および図３１に示すように、電池用蒸発器１３および凝縮器１４がいずれも複数である。
【０１６９】
図３０に示す第１実施例では、全ての電池用蒸発器１３の蒸発部１３１は、全ての凝縮器１４よりも車両後方側に位置している。これにより、上記第１３実施形態と同様に、全ての電池用蒸発器１３について、ガス冷媒が凝縮器１４へ抜けやすくなる。
【０１７０】
図３１に示す第２実施例では、一対の電池用蒸発器１３および凝縮器１４において、蒸発部１３１が凝縮器１４よりも車両後方側に位置している。具体的には、複数の電池用蒸発器１３および複数の凝縮器１４のうち、図３１中の左側の電池用蒸発器１３の蒸発部１３１が図３１中の左側の凝縮器１４よりも車両後方側に位置していて、図３１中の右側の電池用蒸発器１３の蒸発部１３１が図３１中の右側の凝縮器１４よりも車両後方側に位置している。
【０１７１】
本実施例では、一対の電池用蒸発器１３および凝縮器１４において、ガス冷媒が凝縮器１４へ抜けやすくなる。
【０１７２】
（第１５実施形態）
上記第９実施形態では、凝縮器１４は電池用蒸発器１３よりも上方に配置されているが、本実施形態では、図３２に示すように、凝縮器１４は電池用蒸発器１３とほぼ同じ高さに配置されている。本実施形態においても、上記第９実施形態と同様の作用効果を奏することができる。
【０１７３】
（他の実施形態）
上記実施形態を適宜組み合わせ可能である。上記実施形態を例えば以下のように種々変形可能である。
【０１７４】
（１）ガス冷媒配管１５および液冷媒配管１６は、車両搭載の都合上、車両１の他の部品や部材を迂回するように配置されていてもよい。
【０１７５】
（２）上記実施形態では、組電池１１および電池用蒸発器１３は、車両１の前後方向中央部における床下に配置されているが、組電池１１および電池用蒸発器１３は、車両１の後方の、例えばトランクルームやリアシート下などに配置されていていてもよい。
【０１７６】
組電池１１および電池用蒸発器１３は、車両１の前方の、例えばエンジンルームなどに配置されていていてもよい。
【０１７７】
（３）第９実施形態〜第１５実施形態では縦型蒸発器（縦に延びて電池が側面に配置される）について、ガス冷媒の排出性を向上させるためのガス冷媒配管、排出部、蒸発部の構成を説明したが、ガス冷媒の排出性を向上させるためのガス冷媒配管、排出部、蒸発部の構成は、上記第１実施形態のような横型蒸発器（横に延びて電池が上面に配置される）にも適用が可能である。
【０１７８】
（４）第９実施形態〜第１５実施形態では、電池用蒸発器１３の排出部１３３からガス冷媒配管１５の前方流れ部１５ａに至る冷媒の流れ方向が車両後方側から車両前方側に向かう方向、車両下方側から車両上方側に向かう方向、および車両左右方向のうち１つの方向になるように構成されているが、上記方向のうち２つ以上の方向になるように構成されてもよい。
【０１７９】
例えば、車両後方側から車両前方側に向かう方向かつ車両下方側から車両上方側に向かう方向であってもよい。また、車両後方側から車両前方側に向かう方向かつ車両左右方向であってもよい。
【符号の説明】
【０１８０】
１１    組電池（車載機器）
１２    冷媒回路
１３    電池用蒸発器（蒸発器）
１３１  蒸発部
１３２  供給部
１３３  排出部
１３ａ  入口側接続部
１３ｂ  出口側接続部
１４    凝縮器
１５    ガス冷媒配管
１５ａ  前方流れ部
１６    液冷媒配管
【図１】
2018179489.tif 000003
【図２】
2018179489.tif 000004
【図３】
2018179489.tif 000005
【図４】
2018179489.tif 000006
【図５】
2018179489.tif 000007
【図６】
2018179489.tif 000008
【図７】
2018179489.tif 000009
【図８】
2018179489.tif 000010
【図９】
2018179489.tif 000011
【図１０】
2018179489.tif 000012
【図１１】
2018179489.tif 000013
【図１２】
2018179489.tif 000014
【図１３】
2018179489.tif 000015
【図１４】
2018179489.tif 000016
【図１５】
2018179489.tif 000017
【図１６】
2018179489.tif 000018
【図１７】
2018179489.tif 000019
【図１８】
2018179489.tif 000020
【図１９】
2018179489.tif 000021
【図２０】
2018179489.tif 000022
【図２１】
2018179489.tif 000023
【図２２】
2018179489.tif 000024
【図２３】
2018179489.tif 000025
【図２４】
2018179489.tif 000026
【図２５】
2018179489.tif 000027
【図２６】
2018179489.tif 000028
【図２７】
2018179489.tif 000029
【図２８】
2018179489.tif 000030
【図２９】
2018179489.tif 000031
【図３０】
2018179489.tif 000032
【図３１】
2018179489.tif 000033
【図３２】
2018179489.tif 000034